(57)【要約】【課題】除雪作業を容易にできる除雪装置を提供する。【解決手段】除雪装置１０は、降雪時に雪が積もるように、家屋１００の屋根面１０１に配置されたカバー部材１１と、カバー部材１１に積もった雪の重量が、所定値以上であるか否かを感知する重量感知ユニット２０と、重量感知ユニット２０が、雪の重量が所定値以上であると感知した場合に回転する回転軸４１を備えるモータユニット４０と、カバー部材１１と回転軸４１とを連繋することによって、カバー部材１１を揺動させるように、回転軸４１の回転運動を、カバー部材１１に伝達する伝達機構部３０とを有する。【選択図】図２
2014134073.tif 000002
【特許請求の範囲】
【請求項１】
降雪時に雪が積もるように、建物の屋根に配置されたカバー部材と、
前記カバー部材に積もった雪の重量が、所定値以上であるか否かを感知する重量感知手段と、
前記重量感知手段が、雪の重量が所定値以上であると感知した場合に回転する回転軸を備えるモータユニットと、
前記カバー部材と前記回転軸とを連繋することによって、前記カバー部材を揺動させるように、前記回転軸の回転運動を、前記カバー部材に伝達する伝達機構部と、
を有することを特徴とする除雪装置。
【請求項２】
前記伝達機構部は、
前記回転軸の回転に伴って回転するクランクピンと、
前記クランクピンが、一方の第１端部に連繋され、前記カバー部材が、他方の第２端部に連繋されるリンク部材と、
前記リンク部材を、前記屋根に対して回動可能に支持する支持軸と、
を有し、
前記リンク部材の前記第２端部は、前記クランクピンの回転運動に基づいて、前記支持軸を支点として揺動することを特徴とする請求項１に記載の除雪装置。
【請求項３】
前記リンク部材の前記第１端部には、長手方向に沿って、前記クランクピンが案内される長孔が形成されていることを特徴とする請求項２に記載の除雪装置。
【請求項４】
前記伝達機構部は、
前記クランクピンが偏心した位置に形成され、前記屋根に対して回転可能に支持された第１プーリと、
前記回転軸に固定された第２プーリと、
前記第２プーリの回転運動を、前記第１プーリに伝達するベルトと、
を有することを特徴とする請求項２又は３に記載の除雪装置。
【請求項５】
前記屋根は、地面に対して傾斜する傾斜面を有し、
前記カバー部材は、前記傾斜面の傾斜方向に直交する方向に揺動することを特徴とする請求項１乃至４のいずれか一項に記載の除雪装置。
【請求項６】
前記建物の前記屋根は、地面に対して傾斜する傾斜面を有し、
前記カバー部材は、前記傾斜面の傾斜方向に沿って揺動することを特徴とする請求項１乃至４のいずれか一項に記載の除雪装置。
【請求項７】
前記カバー部材は、透光性のある素材からなることを特徴とする請求項１乃至６のいずれか一項に記載の除雪装置。
【請求項８】
前記建物の前記屋根には、前記カバー部材を揺動方向に案内するレール部が形成されていることを特徴とする請求項１乃至７のいずれか一項に記載の除雪装置。
【請求項９】
前記カバー部材と前記レール部との間を転動する転動体を有することを特徴とする請求項８に記載の除雪装置。
【請求項１０】
前記重量感知手段は、機械的動作に基づいて開閉動作する接点を備えたスイッチ部材を備え、
前記カバー部材に積もった雪の重量が、所定値以上である場合に、前記接点が押圧されて閉動作し、前記モータユニットの前記回転軸が回転することを特徴とする請求項１乃至９のいずれか一項に記載の除雪装置。
【請求項１１】
前記モータユニットの前記回転軸が回転した場合に、発光する発光手段を備えることを特徴とする請求項１乃至１０のいずれか一項に記載の除雪装置。
【請求項１２】
前記発光手段は、前記建物の外壁面に取り付けられていることを特徴とする請求項１１に記載の除雪装置。
【発明の詳細な説明】
【技術分野】
【０００１】
本発明は、除雪装置に関する。
【背景技術】
【０００２】
降雪量の多い地域では、家屋の上部に、多くの雪が積もる。この場合、家屋の上部の積雪量によっては、雪の重みにより、家屋が圧迫されて、家屋を構成する部材が損傷するおそれが生ずる。このため、一定以上の積雪量とならないように、家屋から雪を取り除く必要がある。しかしながら、人が、家屋の上部に登っての除雪作業は、危険を伴う作業である。
【０００３】
この問題に対して、特許文献１には、屋根の棟（頂部）から、屋根の傾斜面に沿って、地面近傍まで垂れ下がるワイヤロープを有する雪下ろし機が開示されている。除雪作業者は、ワイヤロープの地面側の端部を把持して、ワイヤロープを動かすことにより、屋根に積もった雪を取り除くことができる。この雪下ろし機によれば、家屋の上部に登っての除雪作業が不要になり、除雪作業での安全性を高めることができる。
【先行技術文献】
【特許文献】
【０００４】
【特許文献１】特開２０１１−８０２６３号公報
【発明の概要】
【発明が解決しようとする課題】
【０００５】
特許文献１に記載の雪下ろし機を用いた除雪作業は、作業者が屋外からワイヤロープを操作しなければならないため、労力や体力を要する重労働である。
【０００６】
本発明は、上述の事情の下になされたもので、除雪作業を容易にできる除雪装置を提供することを目的とする。
【課題を解決するための手段】
【０００７】
上述の目的を達成するために、本発明に係る除雪装置は、
降雪時に雪が積もるように、建物の屋根に配置されたカバー部材と、
前記カバー部材に積もった雪の重量が、所定値以上であるか否かを感知する重量感知手段と、
前記重量感知手段が、雪の重量が所定値以上であると感知した場合に回転する回転軸を備えるモータユニットと、
前記カバー部材と前記回転軸とを連繋することによって、前記カバー部材を揺動させるように、前記回転軸の回転運動を、前記カバー部材に伝達する伝達機構部と、
を有することを特徴とする。
【０００８】
前記伝達機構部は、
前記回転軸の回転に伴って回転するクランクピンと、
前記クランクピンが、一方の第１端部に連繋され、前記カバー部材が、他方の第２端部に連繋されるリンク部材と、
前記リンク部材を、前記屋根に対して回動可能に支持する支持軸と、
を有し、
前記リンク部材の前記第２端部は、前記クランクピンの回転運動に基づいて、前記支持軸を支点として揺動してもよい。
【０００９】
前記リンク部材の前記第１端部には、長手方向に沿って、前記クランクピンが案内される長孔が形成されていてもよい。
【００１０】
前記伝達機構部は、
前記クランクピンが偏心した位置に形成され、前記屋根に対して回転可能に支持された第１プーリと、
前記回転軸に固定された第２プーリと、
前記第２プーリの回転運動を、前記第１プーリに伝達するベルトと、
を有していてもよい。
【００１１】
前記屋根は、地面に対して傾斜する傾斜面を有し、
前記カバー部材は、前記傾斜面の傾斜方向に直交する方向に揺動してもよい。
【００１２】
前記建物の前記屋根は、地面に対して傾斜する傾斜面を有し、
前記カバー部材は、前記傾斜面の傾斜方向に沿って揺動してもよい。
【００１３】
前記カバー部材は、透光性のある素材からなっていてもよい。
【００１４】
前記建物の前記屋根には、前記カバー部材を揺動方向に案内するレール部が形成されていてもよい。
【００１５】
前記カバー部材と前記レール部との間を転動する転動体を有していてもよい。
【００１６】
前記重量感知手段は、機械的動作に基づいて開閉動作する接点を備えたスイッチ部材を備え、
前記カバー部材に積もった雪の重量が、所定値以上である場合に、前記接点が押圧されて閉動作し、前記モータユニットの前記回転軸が回転してもよい。
【００１７】
前記モータユニットの前記回転軸が回転した場合に、発光する発光手段を備えてもよい。
【００１８】
前記発光手段は、前記建物の外壁面に取り付けられていてもよい。
【発明の効果】
【００１９】
本発明では、カバー部材に積もった雪の重量が所定値以上になると、カバー部材が揺動し、この揺動運動に基づいて、積もった雪を落下させる。これにより、除雪作業を容易にすることができる。
【図面の簡単な説明】
【００２０】
【図１】本発明に係る除雪装置が取り付けられた家屋の斜視図（その１）である。
【図２】除雪装置の断面図である。
【図３】除雪装置の分解断面図である。
【図４】図３における矢印Ａから視た場合のカバー部材、伝達機構部等の図である。
【図５】伝達機構部の斜視図である。
【図６】本発明に係る除雪装置が取り付けられた家屋の斜視図（その２）である。
【図７】重量感知ユニットの動作を説明するための断面図である。
【図８】（Ａ）は、伝達機構部の動作を説明するための図（その１）である。（Ｂ）は、伝達機構部の動作を説明するための図（その２）である。（Ｃ）は、伝達機構部の動作を説明するための図（その３）である。
【図９】（Ｄ）は、伝達機構部の動作を説明するための図（その４）である。（Ｅ）は、伝達機構部の動作を説明するための図（その５）である。（Ｆ）は、伝達機構部の動作を説明するための図（その６）である。
【図１０】伝達機構部の動作を説明するための斜視図である。
【図１１】変形例に係る除雪装置の斜視図（その１）である。
【図１２】変形例に係る除雪装置の斜視図（その２）である。
【図１３】変形例に係る除雪装置が取り付けられた家屋の斜視図である。
【発明を実施するための形態】
【００２１】
以下、本発明に係る除雪装置１０について図１〜図１０を用いて説明する。本実施形態において、除雪装置１０は、家屋１００に取り付けられている。なお、図中のＸＹ平面は水平な面であり、図中のＺ軸の方向は鉛直方向である。
【００２２】
図１は、本実施形態に係る除雪装置１０が取り付けられた家屋１００の斜視図である。家屋１００は、図１に示すように、例えば、寄棟造の２階建ての建築物である。家屋１００は、４方向に勾配する屋根を有している。家屋１００の屋根は、２つの三角形の屋根面と、２つの台形の屋根面１０１、１０２とを有する。本実施形態においては、２つの除雪装置１０、１０Ａは、台形の屋根面１０１、１０２それぞれに取り付けられている。すなわち、家屋１００には、２つの除雪装置１０、１０Ａが取り付けられている。
【００２３】
除雪装置１０は、カバー部材１１と、電灯１９と、重量感知ユニット２０と、伝達機構部３０とを有する。また、除雪装置１０は、図２及び図３に示すように、モータユニット４０と、ボール５０とを有する。
【００２４】
カバー部材１１は、降雪時に、その上面に雪が積もるように、家屋１００の屋根に配置されている。カバー部材１１は、図１に示すように、略台形板状に形成されている。カバー部材１１は、重量感知ユニット２０の感知結果に基づいて、屋根面１０１の傾斜方向に直交する方向であるＹ軸方向に揺動運動し、この揺動運動によって、積もった雪を地面に落下させる。カバー部材１１は、図２及び図３に示すように、カバー部材本体と、レール部１２、１３と、揺動部材１４とを有する。カバー部材１１のカバー部材本体は、透光性の素材からなる。
【００２５】
図４は、図３における矢印Ａから視た場合のカバー部材１１、伝達機構部３０等の図である。レール部１２、１３は、図２〜図４に示すように、カバー部材本体の下側の面（−Ｚ側の面）に取り付けられている。レール部１２、１３は、カバー部材１１の揺動方向であるＹ軸方向に平行に形成されている。
【００２６】
揺動部材１４は、図３に示すように、伝達機構部３０に連繋される板状の部材である。揺動部材１４は、カバー部材１１の下面に固定されている。揺動部材１４には、長孔１４ａが形成されている。この長孔１４ａには、後述する伝達機構部３０のリンク部材３４に形成された凸部３４ｂが挿入される。長孔１４ａに、凸部３４ｂが挿入されることで、揺動部材１４は、伝達機構部３０に連繋されている。
【００２７】
電灯１９は、図１に示すように、家屋１００の−Ｙ側の外壁面に取り付けられている。電灯１９は、カバー部材１１が揺動して、積もった雪を屋根面１０１、１０２から落下させている時に、点灯する。これにより、電灯１９は、家屋１００の周囲にいる人に対して、雪が落下中であることを報知する。
【００２８】
重量感知ユニット２０は、図２及び図３に示すように、カバー部材１１に積もった雪の重量が、所定値以上である場合に、モータユニット４０の回転軸４１を回転させるために用いられる。重量感知ユニット２０は、押圧部材２１と、スプリング２２と、スイッチ部材２３とを有する。
【００２９】
押圧部材２１は、板状の部材である。押圧部材２１は、スプリング２２を介して、カバー部材１１の＋Ｘ側の端部に回動可能に取り付けられている。スプリング２２は、例えば、ねじりコイルばねである。スプリング２２は、図３に示す回転方向Ｒ１とは反対の回転方向Ｒ２に押圧部材２１を付勢する。
【００３０】
スイッチ部材２３は、図２に示すように、機械的動作に基づいて開閉動作する接点を備えている。例えば、カバー部材１１に雪が積もった場合、雪が、カバー部材１１から少しずつなだれ落ちていき、押圧部材２１の上面に移動する。雪が、押圧部材２１の上面に移動すると、雪の重みにより、押圧部材２１は、回転方向Ｒ１に回動する。すると、押圧部材２１の下面が、スイッチ部材２３の上部に接触し、スイッチ部材２３の接点が閉動作する。なお、スイッチ部材２３は、例えば、家屋１００の＋Ｘ側の外壁にブラケット２４によって取り付けられている。
【００３１】
伝達機構部３０は、図５に示すように、揺動部材１４と、モータユニット４０の回転軸４１とを連繋して、回転軸４１の回転運動を、揺動部材１４を揺動させるように、揺動部材１４に伝達する。この伝達機構部３０は、揺動スライダクランク機構として機能する。伝達機構部３０は、プーリ３１、３３と、ベルト３２と、リンク部材３４と、支持軸３５とを有する。
【００３２】
プーリ３１は、モータユニット４０の回転軸４１に同軸状に固定されている。このため、モータユニット４０の回転軸４１が回転すると、プーリ３１も共に回転する。プーリ３１は、例えば、外周に複数の歯が形成されたタイミングプーリである。しかしながら、これに限らず、タイミングプーリ以外のプーリであってもよい。
【００３３】
ベルト３２は、弾性の素材からなる。ベルト３２は、プーリ３１とプーリ３３とに掛けられており、プーリ３１の回転運動を、プーリ３３に伝達する。プーリ３１が回転すると、このベルト３２によって、プーリ３３も、プーリ３１の回転方向と同じ方向に回転する。ベルト３２は、例えば、内周に複数の歯が形成されたタイミングベルトである。しかしながら、これに限らず、タイミングベルト以外のベルトであってもよい。例えば、チェーンであってもよい。
【００３４】
プーリ３３は、図２に示すように、家屋１００の屋根面１０１に対して、ベアリング等によって回転可能に支持されている。プーリ３３の上面には、図５に示すように、クランクピン３３ａが形成されている。クランクピン３３ａは、プーリ３３の回転軸３３ｂ（クランク軸）から、偏心した位置に形成されている。プーリ３３は、例えば、外周に複数の歯が形成されたタイミングプーリである。しかしながら、これに限らず、タイミングプーリ以外のプーリであってもよい。
【００３５】
リンク部材３４は、Ｘ軸方向を長手方向とする板状の部材である。リンク部材３４は、支持軸３５によって、図２及び図３に示すように、家屋１００の屋根面１０１に対して、回転可能に支持されている。図５に示すように、リンク部材３４の＋Ｘ側の端部（第１端部）には、長孔３４ａが形成されている。長孔３４ａは、Ｘ軸方向を長手方向とする長円孔形状に形成されている。長孔３４ａには、クランクピン３３ａが挿入される。リンク部材３４の−Ｘ側の端部（第２端部）には、凸部３４ｂが形成されている。凸部３４ｂは、揺動部材１４の長孔１４ａに挿入される。
【００３６】
モータユニット４０は、図２及び図３に示すように、家屋１００内に収容されており、モータユニット４０は、例えば、回転軸４１、モータケーシング、ロータ、ステータ等を有している。モータユニット４０は、ケーブル等によって、重量感知ユニット２０のスイッチ部材２３に接続されている。スイッチ部材２３の接点が閉動作した場合、モータユニット４０に、電源等から、電力が供給され、これにより、モータユニット４０のロータが回転する。このロータの回転運動は、回転軸４１に出力される。
【００３７】
ボール５０は、図４に示すように、カバー部材１１を、Ｙ軸方向に円滑に揺動させるために用いられる。ボール５０は、カバー部材１１のレール部１２、１３と、屋根面１０１に形成されたレール部１０３〜１０５との間に配置される。詳しくは、ボール５０は、レール部１２とレール部１０３との間、レール部１３とレール部１０４との間、及びレール部１３とレール部１０５との間に配置される。これにより、カバー部材１１は、ボール５０を介して、３箇所のレール部１０３〜１０５に支持される。ボール５０が、カバー部材１１のレール部１２、１３と、屋根面１０１のレール部１０３〜１０５との間を転動することにより、カバー部材１１は、屋根面１０１に対して円滑に揺動する。
【００３８】
上述のように構成された除雪装置１０は、家屋１００の＋Ｘ側の屋根面１０１だけではなく、図６に示すように、−Ｘ側の屋根面１０２にも、除雪装置１０と同等の構造の除雪装置１０Ａが取り付けられている。すなわち、本実施形態においては、家屋１００には、２つの除雪装置１０、１０Ａが取り付けられている。
【００３９】
次に、除雪装置１０の動作について、図７〜１０を用いて説明する。
【００４０】
降雪時において、図７に示すように、雪は、カバー部材１１に積もる。そして、カバー部材１１に雪が積もっていくにしたがって、雪の重みにより、重量感知ユニット２０の押圧部材２１が、スプリング２２の付勢力に抗して、回転方向Ｒ１に回動する。すると、押圧部材２１の下面が、スイッチ部材２３の上部に接触し、スイッチ部材２３の接点が閉動作する。
【００４１】
スイッチ部材２３の接点が閉動作すると、図８（Ａ）に示すように、モータユニット４０の回転軸４１が回転運動する。すると、回転軸４１と共にプーリ３１も回転する。プーリ３１の回転運動は、ベルト３２を介して、プーリ３３に伝達され、プーリ３３が、回転軸３３ｂを中心に回転する。これにより、クランクピン３３ａも、図８（Ｂ）に示すように、回転軸３３ｂを中心に回転する。
【００４２】
クランクピン３３ａが、回転軸３３ｂを中心に回転すると、図８（Ｃ）、図９（Ｄ）〜図９（Ｆ）に示すように、リンク部材３４の長孔３４ａ内を、長孔３４ａの長手方向に沿ってクランクピン３３ａが案内されることで、リンク部材３４の＋Ｘ側の端部がＹ軸方向に揺動運動する。リンク部材３４は、支持軸３５によって回動可能に支持されているため、リンク部材３４の−Ｘ側の端部もＹ軸方向に揺動運動する。この結果、リンク部材３４に連繋されている揺動部材１４もＹ軸方向に揺動運動する。
【００４３】
揺動部材１４が揺動運動するため、図１０に示すように、カバー部材１１がＹ軸方向に揺動運動する。この揺動運動によって、除雪装置１０は、積もった雪を地面に落下させる。これにより、家屋１００からの除雪が行われる。また、カバー部材１１が揺動運動しているとき、電灯１９が点灯する。
【００４４】
以上、説明したように、本実施形態に係る除雪装置１０では、カバー部材１１に積もった雪の重量が所定値以上になると、カバー部材１１がＹ軸方向に揺動し、この揺動運動に基づいて、積もった雪を落下させる。これにより、除雪作業を容易にすることができる。
【００４５】
また、本実施形態に係る除雪装置１０では、カバー部材１１がＹ軸方向に揺動運動することで、積もった雪を地面に落下させる。Ｙ軸方向は、家屋１００の屋根面１０１の傾斜方向に直交する方向であることから、積もった雪が、カバー部材１１から、屋根面１０１の傾斜に沿って落下しやすくなる。結果として、除雪作業を容易にすることができる。
【００４６】
また、本実施形態に係る除雪装置１０では、カバー部材１１のカバー部材本体は透光性の素材からなる。このため、例えば、家屋１００の屋根面１０１、１０２に、太陽光発電に用いられるソーラーパネルが配置されていた場合、カバー部材本体が、太陽光を遮ることなく、ソーラーパネルに太陽光が照射される。これにより、ソーラーパネルが配置された家屋１００に除雪装置１０が設置されても、太陽光の発電を行うことができる。
【００４７】
また、本実施形態に係る除雪装置１０では、カバー部材１１が揺動運動して、除雪している時に点灯する電灯１９を有している。これにより、電灯１９は、家屋１００の周囲にいる人に対して、雪が、家屋１００から落下する可能性があることを報知することができる。
【００４８】
以上、本発明の実施形態について説明したが、本発明は上記実施形態によって限定されるものではない。
【００４９】
例えば、上記実施形態では、家屋１００の＋Ｘ側の屋根面１０１には、除雪装置１０が取り付けられ、−Ｘ側の屋根面１０２には、除雪装置１０Ａが取り付けられている。しかしながら、これに限らず、一つの除雪装置１０が、家屋１００の２つの屋根面１０１、１０２のうちのいずれかに取り付けられていてもよい。または、３つ以上の除雪装置１０が、取り付けられていてもよい。
【００５０】
また、上記実施形態では、伝達機構部３０は、揺動スライダクランク機構として機能するものである。しかしながら、これに限らず、揺動部材１４が揺動する機構であれば、別の機構を用いたものであってもよい。例えば、伝達機構部３０は、往復スライダクランク機構として機能するものであってもよい。
【００５１】
また、上記実施形態では、モータユニット４０の回転軸４１の回転運動は、回転軸４１に固定されたプーリ３１及びベルト３２を介して、クランクピン３３ａを備えるプーリ３３に伝達されている。しかしながら、これに限らず、プーリ３３が、回転軸４１に直接固定されていてもよい。この場合、プーリ３１及びベルト３２が不要となり、部品点数を削減することができる。
【００５２】
また、上記実施形態では、カバー部材１１は、ボール５０を介して、屋根面１０１のレール部１０３〜１０５に支持されている。しかしながら、これに限らず、カバー部材１１が円滑に揺動できる構造であれば、これ以外の構造であってもよい。例えば、カバー部材１１に車輪を取り付けて、カバー部材１１は、この車輪を介して、レール部１０３〜１０５に支持されていてもよい。
【００５３】
また、上記実施形態では、カバー部材１１のカバー部材本体は、全体として、透光性の素材からなる。しかしながら、これに限らず、カバー部材本体の外枠部分を、透光性の素材ではない鋼材等の補強部材で補強するようにしてもよい。これにより、カバー部材１１の耐久性を向上させることができる。
【００５４】
また、上記実施形態では、カバー部材１１が、屋根面１０１の傾斜方向に直交する方向であるＹ軸方向に揺動することで、除雪装置１０は、積もった雪を地面に落下させている。しかしながら、これに限らず、カバー部材１１は、図１１に示すように、屋根面１０１の傾斜方向に沿って揺動してもよい。しかしながら、図１０に示すように、屋根面１０１の傾斜方向に直交する方向であるＹ軸方向に揺動したほうが、積もった雪が地面に落下しやすいと考えられるため、カバー部材１１は、Ｙ軸方向に揺動するほうが望ましい。
【００５５】
図１２は、変形例に係る除雪装置１０、１０Ａの斜視図である。図１２に示すように、除雪装置１０、１０Ａは、カバー部材１１の−Ｙ側及び＋Ｙ側の端部に設けられた遮蔽部材６０を有している。遮蔽部材６０は、シート状の部材であり、遮蔽部材６０が設けられることにより、カバー部材１１と、家屋１００の屋根面との隙間から、雪が進入することを防ぐことができる。ひいては、除雪装置１０、１０Ａは、進入した雪が、伝達機構部３０の動きを阻害することなく、除雪作業を行うことができる。なお、本変形例においては、遮蔽部材６０は、シート状の部材であるが、カバー部材１１と、家屋１００の屋根面との隙間から、雪が進入することを防ぐことができる構造であれば、これ以外の構造であってもよい。
【００５６】
また、上記実施形態では、家屋１００の屋根構造は、寄棟造である。しかしながら、これに限らず、宝形造や、図１３に示すような切妻造など、別の屋根構造であってもよい。
【００５７】
なお、本発明は、本発明の広義の精神と範囲を逸脱することなく、様々な実施形態及び変形が可能とされるものである。また、上述した実施形態は、本発明を説明するためのものであり、本発明の範囲を限定するものではない。
【符号の説明】
【００５８】
１０、１０Ａ  除雪装置
１１  カバー部材
１２、１３  レール部
１４  揺動部材
１４ａ  長孔
１９  電灯（発光手段）
２０  重量感知ユニット（重量感知手段）
２１  押圧部材
２２  スプリング
２３  スイッチ部材
２４  ブラケット
３０  伝達機構部
３１  プーリ（第２プーリ）
３２  ベルト
３３  プーリ（第１プーリ）
３３ａ  クランクピン
３３ｂ  回転軸
３４  リンク部材
３４ａ  長孔
３４ｂ  凸部
３５  支持軸
４０  モータユニット
４１  回転軸
５０  ボール（転動体）
６０  遮蔽部材
１００  家屋
１０１、１０２  屋根面
１０３、１０４、１０５  レール部
Ｒ１、Ｒ２  回転方向
【図１】
2014134073.tif 000003
【図２】
2014134073.tif 000004
【図３】
2014134073.tif 000005
【図４】
2014134073.tif 000006
【図５】
2014134073.tif 000007
【図６】
2014134073.tif 000008
【図７】
2014134073.tif 000009
【図８】
2014134073.tif 000010
【図９】
2014134073.tif 000011
【図１０】
2014134073.tif 000012
【図１１】
2014134073.tif 000013
【図１２】
2014134073.tif 000014
【図１３】
2014134073.tif 000015